(57)【要約】【課題】期間の途中であっても室内機毎のエネルギー使用量の按分率を求める。【解決手段】空集中管理装置４０は、外部から入力される指示信号に応じて、一または複数の冷媒系統毎の室外機および各室内機の運転状態に基づいて、所定の期間の開始日から指示信号の入力日までの全体のエネルギー使用量に対する各室内機毎のエネルギー使用量の按分率を求めるエネルギー使用量按分部４５ｃと、この按分率に関する情報を外部８０に出力する按分率情報出力部４４と、指示信号が入力された日が所定の期間の期間末日以外の日である場合には、記憶部４３に記憶された各運転状態に関する情報およびエネルギー使用量に関する情報を更新可能に保持した上で、按分率に関する情報を外部に出力させるように制御する制御部４５とを備える。【選択図】図３
2008145055.tif 000002
【特許請求の範囲】
【請求項１】
一または複数の室外機と、複数の室内機とを有する一または複数の冷媒系統を備えた空気調和システムの集中管理装置であって、
外部から前記室外機および室内機の各運転状態に関する情報を取得する運転状態情報取得部と、
外部から当該空気調和システムにおけるエネルギー使用量に関する情報を取得するエネルギー使用量情報取得部と、
予め設定された所定の期間内の前記各運転状態に関する情報および前記エネルギー使用量に関する情報を記憶する記憶部と、
外部から入力される指示信号に応じて、前記一または複数の冷媒系統毎の室外機および各室内機の運転状態に基づいて、前記所定の期間の開始日から前記指示信号の入力日までの全体のエネルギー使用量に対する各室内機毎のエネルギー使用量の按分率を求めるエネルギー使用量按分部と、
前記按分率に関する情報を外部に出力する按分率情報出力部と、
前記指示信号が入力された日が前記所定の期間の期間末日か否かを判別し、期間末日以外の日である場合には、前期記憶部に記憶された前記各運転状態に関する情報および前記エネルギー使用量に関する情報を更新可能に保持した上で、前記按分率に関する情報を外部に出力させるように制御する制御部と、
を備えたことを特徴とする空気調和システムの集中管理装置。
【請求項２】
請求項１に記載の空気調和システムの集中管理装置において、
前記制御部は、前記指示信号が入力された日が前記所定の期間の期間末日である場合には、前記按分率に関する情報を前記記憶部に記憶させること、
を特徴とする空気調和システムの集中管理装置。
【請求項３】
請求項２に記載の空気調和システムの集中管理装置において、
前記制御部は、前記記憶部に記憶された前記按分率に関する情報に基づいて、前記所定の期間の開始日から前記指示信号が入力された日までの間の前記按分率と比較するための比較情報を生成すること、
を特徴とする空気調和システムの集中管理装置。
【請求項４】
請求項１〜３のいずれか一項に記載の空気調和システムの集中管理装置において、
前記制御部は、前記指示信号が入力された日が前記所定の期間の期間末日である場合には、前期記憶部に記憶された所定の期間内の前記各運転状態に関する情報および前記エネルギー使用量に関する情報を消去すること、
を特徴とする空気調和システムの集中管理装置。
【請求項５】
請求項１〜４のいずれか一項に記載の空気調和システムの集中管理装置において、
前記按分率に関する情報は、複数の項目を含み、各項目を所定の区切り文字で区切ったデータフォーマット形式で出力されること、
を特徴とする空気調和システムの集中管理装置。
【請求項６】
一または複数の室外機と、複数の室内機とを有する一または複数の冷媒系統を備えた空気調和システムにおいて、
前記室外機および室内機の各運転状態に関する情報を取得する運転状態情報取得装置と、
当該空気調和システムにおけるエネルギー使用量に関する情報を取得するエネルギー使用量情報取得装置と、
予め設定された所定の期間内の前記各運転状態に関する情報および前記エネルギー使用量に関する情報を記憶する記憶装置と、
指示信号の入力に応じて、前記一または複数の冷媒系統毎の室外機および各室内機の運転状態に基づいて、前記所定の期間の開始日から前記指示信号の入力日までの全体のエネルギー使用量に対する各室内機毎のエネルギー使用量の按分率を求めるエネルギー使用量按分装置と、
前記指示信号を入力する指示信号入力装置と、
前記按分率に関する情報を外部記録媒体に出力する按分率情報出力装置と、
前記指示信号が入力された日が前記所定の期間の期間末日か否かを判別し、期間末日以外の日である場合には、前期記憶部に記憶された前記各運転状態に関する情報および前記エネルギー使用量に関する情報を保持した上で、前記按分率に関する情報を外部に出力させるように制御する制御装置と、
を備えたことを特徴とする空気調和システム。
【請求項７】
請求項６記載の空気調和システムにおいて、
前記運転状態情報取得装置は、前記冷媒系統毎に前記室外機および室内機の各運転状態を取得すること、
を特徴とする空気調和システム。
【発明の詳細な説明】
【技術分野】
【０００１】
本発明は、一または複数の室外機と、複数の室内機とを有する一または複数の冷媒系統を備えた空気調和システムを集中管理するとともに、空気調和システム全体のエネルギー使用量に対する各室内機毎のエネルギー使用量の按分率を算出する空気調和システムの集中管理装置および空気調和システムに関する。
【背景技術】
【０００２】
従来、テナントビル等には、一または複数の室外機と、複数の室内機とを有する一または複数の冷媒系統を有する空気調和システムが導入されている。この種の空気調和システムの中には、各冷媒系統における室外機および室内機の各空調動作を一台の集中管理装置により集中管理（集中制御）するものがある。このような空気調和システムにあっては、空調時の設定（設定温度、運転モード等）、室内機の設置された室内の環境、室内機や室外機の機種等によって、空調運転時のエネルギー使用量（電力消費量、ガス消費量）が室内機毎に異なる場合が多い。このため、ビルオーナ等が各テナントに対して室内機の使用エネルギー量に応じて空調料金を公平に課金するために、空気調和システム全体におけるエネルギー使用量を各冷媒系統毎の室外機室内機等の運転状態等に基づいて各室内機毎に按分して算出するように構成したものがある（例えば、特許文献１参照）。
【０００３】
【特許文献１】特開２００６−１１８８１１号公報
【発明の開示】
【発明が解決しようとする課題】
【０００４】
ところで、近年の地球環境問題に対する意識の向上等により、テナントによっては、期間内のエネルギー使用量の推移や過去の同時期のエネルギー使用量との比較等を行って、省エネ意識を高めたいという等という要望が生じる場合があった。しかしながら、上記従来の集中管理装置では、例えば、月に一回等、所定の期間毎に空調料金を算出することを前提としていたため、各テナント等は、期間の途中に自己のテナントにおいて現在のエネルギー使用量がどの程度であるかということを把握することはできなかった。
【０００５】
本発明の課題は、予め設定された期間の途中であっても室内機毎のエネルギー使用量の按分率を求めることのできる空気調和システムの集中管理装置および空気調和システムを提供することにある。
【課題を解決するための手段】
【０００６】
本発明の空気調和システムの集中管理装置は、一または複数の室外機と、複数の室内機とを有する一または複数の冷媒系統を備えた空気調和システムの集中管理装置であって、外部から前記室外機および室内機の各運転状態に関する情報を取得する運転状態情報取得部と、外部から当該空気調和システムにおけるエネルギー使用量に関する情報を取得するエネルギー使用量情報取得部と、予め設定された所定の期間内の前記各運転状態に関する情報および前記エネルギー使用量に関する情報を記憶する記憶部と、外部から入力される指示信号に応じて、前記一または複数の冷媒系統毎の室外機および各室内機の運転状態に基づいて、前記所定の期間の開始日から前記指示信号の入力日までの全体のエネルギー使用量に対する各室内機毎のエネルギー使用量の按分率を求めるエネルギー使用量按分部と、前記按分率に関する情報を外部に出力する按分率情報出力部と、前記指示信号が入力された日が前記所定の期間の期間末日か否かを判別し、期間末日以外の日である場合には、前期記憶部に記憶された前記各運転状態に関する情報および前記エネルギー使用量に関する情報を更新可能に保持した上で、前記按分率に関する情報を外部に出力させるように制御する制御部とを備えたことを特徴とする。
上記構成によれば、集中管理装置は、運転状態情報取得部により、外部から当該空気調和システムが有する室外機および室内機の各運転状態に関する情報を取得することができる。また、集中管理装置は、エネルギー使用量情報取得部により、外部から当該空気調和システムにおけるエネルギー使用量に関する情報を取得することができる。また、集中管理装置は、エネルギー使用量按分部により、記憶部に記憶された運転状態に関する情報およびエネルギー使用量に関する情報を用いて、予め設定された所定の期間の開始日から外部からの指示信号の入力日までの全体のエネルギー使用量に対する各室内機毎のエネルギー使用量の按分率を求めることができる。そして、集中管理装置は、制御部により、外部から指示信号が入力された日が所定の期間の期間末日か否かを判別させ、期間末日以外の日である場合には、記憶部に記憶された各運転状態に関する情報およびエネルギー使用量に関する情報を更新可能に保持した上で、按分率に関する情報を按分率情報出力部を介して外部に出力させることができる。よって、予め設定された期間の途中であっても室内機毎のエネルギー使用量の按分率を求めることができ、また、期間の途中で按分率を求める場合には、記憶部に記憶された各運転状態に関する情報およびエネルギー使用量に関する情報は更新可能に保持されているので、期間の途中に複数回に渡って按分率を求める場合でも、常に期間の開始日からの間のエネルギー使用量の按分率を求めることができる。
【０００７】
上記構成の空気調和システムの集中管理装置において、前記制御部は、前記指示信号が入力された日が前記所定の期間の期間末日である場合には、前記按分率に関する情報を前記記憶部に記憶させることが好ましい。
上記構成によれば、期間末日に按分率を求める場合には、按分率に関する情報を記憶部に記憶させるので、当該按分率に関する情報を後に参照することができる。
【０００８】
また、上記構成の空気調和システムの集中管理装置において、前記制御部は、前記記憶部に記憶された前記按分率に関する情報に基づいて、前記所定の期間の開始日から前記指示信号が入力された日までの間の前記按分率と比較するための比較情報を生成すること、が好ましい。
ここで、比較情報としては、直前の按分率に関する情報（例えば、前月分）に基づいて、所定の期間の開始日から指示信号が外部から入力された日までの間の日数分と同日数分の按分率を求めたものとすることができる。また、例えば、過去の同時期（例えば、前年分あるいは複数年分）における過去の按分率に関する情報に基づいて、所定の期間の開始日から指示信号が外部から入力された日までの同日数分の按分率を求めたもの等とすることができる。
この構成によれば、比較情報と比較することにより、現時点における空調のエネルギー使用量の増減を把握することができ、省エネ意識を高めることなどができる。
【０００９】
また、上記構成の空気調和システムの集中管理装置において、前記制御部は、前記指示信号が入力された日が前記所定の期間の期間末日である場合には、前期記憶部に記憶された所定の期間内の前記各運転状態に関する情報および前記エネルギー使用量に関する情報を消去することが好ましい。
この構成によれば、予め設定された所定の期間の期間末日に按分率を求めた場合には、記憶部に記憶された所定の期間内の各運転状態に関する情報やエネルギー使用量に関する情報が消去されるので、記憶部の記憶容量を確保することができる。
【００１０】
また、上記構成の空気調和システムの集中管理装置において、前記按分率に関する情報は、複数の項目を含み、各項目を所定の区切り文字で区切ったデータフォーマット形式で出力されることが好ましい。ここで、この様なデータフォーマット形式として、例えば、ＣＳＶ形式等がある。
【００１１】
また、本発明の空気調和システムは、一または複数の室外機と、複数の室内機とを有する一または複数の冷媒系統を備えた空気調和システムにおいて、前記室外機および室内機の各運転状態に関する情報を取得する運転状態情報取得装置と、当該空気調和システムにおけるエネルギー使用量に関する情報を取得するエネルギー使用量情報取得装置と、予め設定された所定の期間内の前記各運転状態に関する情報および前記エネルギー使用量に関する情報を記憶する記憶装置と、指示信号の入力に応じて、前記一または複数の冷媒系統毎の室外機および各室内機の運転状態に基づいて、前記所定の期間の開始日から前記指示信号の入力日までの全体のエネルギー使用量に対する各室内機毎のエネルギー使用量の按分率を求めるエネルギー使用量按分装置と、前記指示信号を入力する指示信号入力装置と、前記按分率に関する情報を外部記録媒体に出力する按分率情報出力装置と、前記指示信号が入力された日が前記所定の期間の期間末日か否かを判別し、期間末日以外の日である場合には、前期記憶部に記憶された前記各運転状態に関する情報および前記エネルギー使用量に関する情報を保持した上で、前記按分率に関する情報を外部に出力させるように制御する制御装置とを備えたことを特徴とする。
【００１２】
上記構成の空気調和システムにおいて、前記運転状態情報取得装置は、前記冷媒系統毎に前記室外機および室内機の各運転状態を取得することが好ましい。
【発明の効果】
【００１３】
本発明によれば、予め設定された所定の期間の途中であっても、一または複数の冷媒系統毎の室外機および各室内機の運転状態に基づいて、当該空気調和システム全体のエネルギー使用量に対する各室内機毎のエネルギー使用量の按分率を求めることができる。
【発明を実施するための最良の形態】
【００１４】
以下、本発明の実施の形態を図面を参照して説明する。
図１に本実施の形態の空気調和システム１００の系統図を示す。空気調和システム１００は、図１に示すように、第一冷媒系統を構成する第一空気調和装置１０と、第二冷媒系統を構成する第二空気調和装置２０と、第三冷媒系統を構成する第三空気調和装置３０を備えると共に、これらの空気調和装置１０、２０、３０を集中管理するための集中管理装置４０が設けられている。この集中管理装置４０は、各冷媒系統毎の室外機１１、２１、３１および室内機１２〜１４、２２〜２４、３２〜３４の空気調和動作を制御するとともに、各冷媒系統毎の室外機１１、２１、３１および室内機１２〜１４、２２〜２４、３２〜３４の運転状態に基づいて、当該空気調和システム１００の全体のエネルギー使用量に対する各室内機１２〜１４、２２〜２４、３２〜３４毎のエネルギー使用量の按分率を求める按分率算出処理を実行するものである。
【００１５】
第一空気調和装置１０は、一台の室外機１１と、複数台（但し、図示例では三台）の室内機１２、１３、１４とが図示しない冷媒配管によって接続された、いわゆるマルチタイプのものである。
第二空気調和装置２０も同様に、一台の室外機２１と、複数台（但し、図示例では三台）の室内機２２、２３、２４とが図示しない冷媒配管によって接続されたマルチタイプのものである。
第三空気調和装置３０についても同様に、一台の室外機３１と、複数台（但し、図示例では三台）の室内機３２、３３、３４とが図示しない冷媒配管によって接続されたマルチタイプのものである。
【００１６】
但し、第一空気調和装置１０および第二空気調和装置２０は、パッケージエアコン等と称されるタイプのもので、室外機１１、２１は電動モータにより駆動される圧縮機を備える。一方、第三空気調和装置３０は、ガスヒートポンプ型エアコン等と称されるタイプのもので、室外機３１はガスエンジンにより駆動される圧縮機を備える。
【００１７】
これらの空気調和装置１０、２０、３０の各室内機１２〜１４、２２〜２４、３２〜３４には、必要に応じて、図示しないリモートコントローラ等の操作手段を設けることができる。リモートコントローラを設けた場合には、これらの操作手段が設けられた室内機（１２〜１４、２２〜２４、３２〜３４）は、リモートコントローラの手動操作によって、空調運転の開始や停止、冷房や暖房などの運転モードの切り換え、設定温度の変更、風速切り換え、風向切換などが行われる。一方、これらの操作手段が設けられていない室内機（１２〜１４、２２〜２４、３２〜３４）については、集中管理装置４０から送信される空調制御用信号に従って空調動作を行う。
【００１８】
集中管理装置４０は、図示しないＣＰＵ、ＲＡＭ、ＲＯＭ等を備え、これらの協働の下、コンピュータ制御により、上記空気調和システム１００を構成する室外機１１、２１、３１や室内機１２〜１４、２２〜２４、３２〜３４に対して上記空調制御用信号や集中管理信号等の各種制御信号を送信し、これらを制御する。
【００１９】
集中管理装置４０は、各空気調和装置１０、２０、３０の各室内機１２〜１４、２２〜２４、３２〜３４に対して、空調運転の開始または停止、冷房または暖房等の運転モードの切り換え、設定温度の変更、風速切り換え、風向切換、リモートコントローラ等の操作手段による手動操作の禁止等の操作を行うことができ、各室外機１１、２１、３１に対しては各冷媒系統に属する室内機（１２〜１４、２２〜２４、３２〜３４）の運転状態に応じて圧縮機（図示略）等を駆動させたり、冷媒の流れる方向の切り換え等の操作を行ったりすることができる。
【００２０】
集中管理装置４０は、第一通信アダプタ５０および第二通信アダプタ６０と集中管理信号線７１を介して接続されている。第一通信アダプタ５０は室内外通信線７２を介して第一空気調和装置１０および第二空気調和装置２０と接続されており、第二通信アダプタ６０は室内外通信線７３を介して第三空気調和装置３０と接続されている。集中管理装置４０は、これらの第一通信アダプタ５０および第二通信アダプタ６０を介して、第一空気調和装置１０、第二空気調和装置２０、第三空気調和装置３０との間で上記空調用制御用信号、集中管理信号等の各種制御信号等の信号の送受信を行うとともに、各空気調和装置１０、２０、３０から運転状態信号を受信する。なお、集中管理装置４０の具体的な機能的構成例および上記按分率算出処理に係る動作は後述する。
【００２１】
第一通信アダプタ５０および第二通信アダプタ６０は、通信機能、信号変換機能を備え、集中管理装置４０と各空気調和装置１０、２０、３０の各室外機１１、２１、３１および各室内機１２〜１４、２２〜２４、３２〜３４との間で所定の通信方式により通信を行うものである。また、第一通信アダプタ５０および第二通信アダプタ６０は、各空気調和装置１０、２０、３０から各室外機１１、２１、３１および各室内機１２〜１４、２２〜２４、３２〜３４の各運転状態に関する情報を取得する運転状態情報取得装置としての機能等を備える。
【００２２】
但し、各室外機１１、２１、３１および各室内機１２〜１４、２２〜２４、３２〜３４にはそれぞれ固有のアドレスが割り振られており、これらのアドレス情報とともに各室外機１１、２１、３１および各室内機１２〜１４、２２〜２４、３２〜３４の各運転状態に関する情報が集中管理装置４０に送信される。
【００２３】
本実施の形態において、第一通信アダプタ５０および第二通信アダプタ６０を介して取得される各室外機１１、２１、３１および各室内機１２〜１４、２２〜２４、３２〜３４の各運転状態に関する情報には次のものがある。
【００２４】
例えば、室外機１１、２１、３１の運転状態に関する情報として、運転電力量、高圧飽和温度に関する情報等がある。また、室外機１１、２１、３１が３ＷＡＹ機種や氷蓄熱槽を有する機種等では還元利用（再利用）している使用エネルギーを考慮した省エネ運転電力量に関する情報が上記運転電力量に関する情報に代替して挙げることができる。また、氷蓄熱槽を有する機種では、氷蓄熱を行う際に使用した夜間電力量に関する情報を挙げることができる。第一通信アダプタ５０および第二通信アダプタ６０は、所定の時間間隔で、これらの室外機１１、２１、３１の運転状態に関する情報を取得、あるいは演算して、集中管理装置４０に送信される。
【００２５】
また、室内機１２〜１４、２２〜２４、３２〜３４の運転状態に関する情報として、例えば、風速別運転時間（急風サーモＯＮ時間、強風サーモＯＮ時間、弱風サーモＯＮ時間、急風サーモＯＦＦ時間、強風サーモＯＦＦ時間、弱風サーモＯＦＦ時間）、室内定格能力、運転電力量（あるいは省エネ運転電力量）、氷蓄熱夜間電力量がある。また、第一通信アダプタ５０および第二通信アダプタ６０はそれぞれ室内機１２〜１４、２２〜２４、３２〜３４から、熱交換器入口温度、中間温度、出口温度および高圧飽和温度を取得し、これらに基づいて、過熱度および過冷却度を算出して、これらの情報についても室内機１２〜１４、２２〜２４、３２〜３４の運転状態に関する情報として集中管理装置４０に送信する。また、第一通信アダプタ５０および第二通信アダプタ６０はそれぞれ室内機１２〜１４、２２〜２４、３２〜３４の定格能力、風速換算値および運転能力比率に基づいて、各室内機１２〜１４、２２〜２４、３２〜３４の運転能力量を算出し、これらの情報は室内機１２〜１４、２２〜２４、３２〜３４の運転状態に関する情報として、集中管理装置４０に送信される。
【００２６】
また、第一通信アダプタ５０および第二通信アダプタ６０には、これらの通信アダプタに接続される空気調和装置（１０、２０、３０）の種類に応じて、それぞれ電力パルスメータやガスパルスメータ等のエネルギー使用量計測器が接続可能に構成されている。すなわち、第一通信アダプタ５０および第二通信アダプタ６０は、それぞれ接続された空気調和装置１０、２０または３０のエネルギー使用量を取得するエネルギー使用量情報取得装置として機能する。これらのエネルギー使用量計測器を介して取得されたエネルギー使用量に関する情報（各エネルギー使用量計測器によりカウントされたパルス数等）は所定の時間間隔で、集中管理装置４０に送信される。
【００２７】
例えば、本実施の形態では、第一通信アダプタ５０に接続される第一空気調和装置１０および第二空気調和装置２０はそれぞれ電力により作動するパッケージエアコンなので、電力パルスメータが接続される。そして、第一空気調和装置１０および第二空気調和装置２０において使用された電力量に関する情報は第一通信アダプタ５０を介して集中管理装置４０に送信される。また、第二通信アダプタ６０に接続される第三空気調和装置３０はガスヒートポンプ型エアコンなので、第二通信アダプタ６０には電力パルスメータおよびガスパルスメータが接続され、第三空気調和装置３０において使用された電力量およびガス量に関する情報が集中管理装置４０に送信されるようになっている。
【００２８】
次に、図２を参照して、集中管理装置４０の上記按分率算出処理に係る機能的構成について説明する。図２に示すように、集中管理装置４０は、表示操作部４１と、通信部４２と、記憶部４３と、Ｉ／Ｆ部（按分率情報出力部）４４と、これらを制御する制御部４５とを備え、Ｉ／Ｆ部４４を介して外部記憶装置８０と接続可能に構成されている。
【００２９】
表示操作部４１は、例えば、各種操作画面や各空気調和装置１０、２０、３０の運転状況や設定内容等を表示する表示パネル４１ａと、この表示パネル４１ａ上に設けられ、各種操作画面に対応する各種操作を行うタッチパネルや操作ボタン等を備える操作部４１ｂとを備えている。
操作画面の一例として、按分率算出ボタンを備えるものがある。この按分率算出ボタンがユーザ等により押下されることにより、上記按分率算出処理の実行を指示する指示信号が制御部４５に入力される。
【００３０】
通信部４２は、第一通信アダプタ５０および第二通信アダプタ６０を介して各空気調和装置１０、２０、３０との間で所定の通信方式に従って通信を行うものである。
【００３１】
記憶部４３は、例えば、半導体メモリ、ハードディスク装置等の各種書き換え可能なメモリを用いて構成され、上記した各冷媒系統毎の室外機１１、２１、３１および室内機１２〜１４、２２〜２４、３２〜３４の各運転状態に関する情報を記憶する運転状態情報記憶領域４３ａと、上記したエネルギー使用量に関する情報を記憶するエネルギー使用量情報記憶領域４３ｂと、上記按分率算出処理により求められた各室外機１１、２１、３１毎の按分率に関する情報を記憶する按分率情報記憶領域４３ｃとを有している。
【００３２】
本実施の形態では、運転状態情報記憶領域４３ａには予め設定された所定の期間内における各室外機１１、２１、３１および各室内機１２〜１４、２２〜２４、３２〜３４の各運転状態に関する情報が記憶されるよう構成されている。また、エネルギー使用量情報記憶領域４３ｂについても所定の期間内における空気調和システム１００の全体のエネルギー使用量に関する情報が記憶されるよう構成されている。さらに、按分率情報記憶領域４３ｃについても過去に算出された按分率に関する情報が所定の量だけ記憶されるよう構成されている。
【００３３】
ここで、上記の予め設定された所定の期間とは、テナント等に対して所定の期間毎に空調料金を課金するため等の期間として設定される期間であり、例えば、一ヶ月間等の暦状の区切りのよい期間であって、課金を行うために適当な期間であることが好ましい。
【００３４】
Ｉ／Ｆ部４４は、外部記憶装置８０と接続する接続インターフェースである。
外部記憶装置８０は、例えば、ＰＣカード、あるいはＣＦカード、ＳＤカード等の各種メモリカード等のカード状記録媒体を用いて構成できる。本実施の形態では、このＩ／Ｆ部４４を介して外部記憶装置８０が集中管理装置４０に接続されなければ、上記の按分率算出ボタンの押下信号、すなわち、按分率算出処理の実行を指示する指示信号が制御部４５において無効として扱われるように構成されている。但し、外部記憶装置８０は予め集中管理装置４０に対して、按分率算出処理により求められた按分率に関する情報を出力するための専用の外部記憶装置８０として登録されており、Ｉ／Ｆ部４４を介して外部記憶装置８０を接続すると、集中管理装置４０の制御部４５は、外部記憶装置８０の所定の記憶領域に予め記憶された識別ＩＤ等を読み出して、予め登録された外部記憶装置８０であるか否かが判別される構成となっている。
【００３５】
制御部４５は、運転状態情報取得部４５ａと、エネルギー使用量情報取得部４５ｂと、エネルギー使用量按分部４５ｃとを備えている。
運転状態情報取得部４５ａは、通信部４２を介して第一通信アダプタ５０および第二通信アダプタ６０から、室外機１１、２１、３１および室内機１２〜１４、２２〜２４、３２〜３４の各運転状態に関する情報を取得するものである。運転情報取得部は、通信部４２を介して第一通信アダプタ５０および第二通信アダプタ６０から、各室外機１１、２１、３１および各室内機１２〜１４、２２〜２４、３２〜３４の各運転状態に関する情報を所定の時間間隔で取得して記憶部４３の運転状態情報記憶領域４３ａに記憶させたり、エネルギー使用量按分部４５ｃの指示に基づき運転状態情報記憶領域４３ａに記憶された各運転状態に関する情報を取得してエネルギー使用量按分部４５ｃに出力させたりする処理を行う。
【００３６】
エネルギー使用量情報取得部４５ｂは、通信部４２を介して、第一通信アダプタ５０および第二通信アダプタ６０から各空気調和装置１０、２０、３０のエネルギー使用量に関する情報を取得して、記憶部４３のエネルギー使用量情報記憶領域４３ｂに記憶させたり、エネルギー使用量按分部４５ｃの指示に基づきエネルギー使用量情報記憶領域４３ｂに記憶されたエネルギー使用量に関する情報を取得してエネルギー使用量按分部４５ｃに出力させたりする処理を行う。
【００３７】
エネルギー使用量按分部４５ｃは、表示操作部４１に表示される按分率算出ボタンの押下操作によって入力される指示信号に応じて、予め設定された所定の期間の開始日から、上記指示信号の入力された日までの間の当該空気調和システム１００の全体のエネルギー使用量に対する各室内機毎のエネルギー使用量の按分率を求める按分率算出処理を行うものである。
【００３８】
按分率算出処理に際して、制御部４５は、指示信号の入力された日が予め設定された期間の末日であるか否かを判別し、期間末日である場合には、空気調和システム１００の全体のエネルギー使用量に対する各室内機１２〜１４、２２〜２４、３２〜３４毎のエネルギー使用量の按分率を算出した後に「締め処理」を行い、期間末日以外の日である場合には、「中間締め処理」を行う。ここで、按分率算出処理により求められる各室内機１２〜１４、２２〜２４、３２〜３４毎のエネルギー使用量の按分率は、例えば、各テナントへの空調料金の課金請求に利用されることになる。
【００３９】
上記の「締め処理」とは、例えば、月締めの場合には毎月月末あるいは１５日締めなど、予め設定された所定の期間の末日に行われる処理であり、「締め処理」の実行に伴い、当該空気調和システム１００全体が使用したエネルギー量に各室内機１２〜１４、２２〜２４、３２〜３４の按分率を乗じて各テナントに課金する空調料金をそれぞれ算出し、この空調料金を算出した後に、空調料金の算出に使用した各運転状態に関する情報、エネルギー使用量に関する情報がリセットされる。
【００４０】
また、上記の「中間締め処理」とは、上記の「締め処理」とは異なる処理であり、テナント等に現在のエネルギー使用量あるいは空調料金を提示することにより、テナント等に対する便宜を図るために行われる処理である。例えば、予め設定された期間の途中で、各室内機１２〜１４、２２〜２４、３２〜３４毎のエネルギー使用量の按分率を算出し、例えば、現時点における空調料金を算出し、この空調料金の算出に使用した各運転状態に関する情報、エネルギー使用量に関する情報をクリアにせず、運転状態情報記憶領域４３ａ、エネルギー使用量情報記憶領域４３ｂに更新可能に保持される。この際、過去の按分率に関する情報等に基づいて、所定の期間の開始日から指示信号の入力された日までの間の按分率と比較するための比較情報を生成することもできる。
【００４１】
これらの按分率算出処理により求められた各室内機１２〜１４、２２〜２４、３２〜３４毎の按分率に関する情報や、各テナント毎の空調料金等に関する情報はＩ／Ｆ部４４を介して外部記憶装置８０にＣＳＶ形式等、複数の項目を有するデータを項目毎にカンマ等の所定の区切り文字で区切ったデータフォーマット形式で出力される。但し、外部記録装置８０に出力される按分率に関する情報には、各室外機に割り当てられた固有のアドレス、上記した各種運転状態に関する情報、各室外機毎の按分率、各室外機毎のエネルギー使用量等各種の項目を含む。
【００４２】
次に、図３を参照して、上記集中管理装置４０の制御部４５において実行される按分率算出処理の処理の流れを説明する。
図３に示すように、按分率算出処理の実行に際して、集中管理装置４０は、まず、Ｉ／Ｆ部４４を介して外部記憶装置８０が接続されているか否かを検出する（ステップＳ１）。外部記憶装置８０がＩ／Ｆ部４４を介して集中管理装置４０に接続されている場合（ステップＳ１：Ｙ）には、接続された外部記憶装置８０の上記識別ＩＤを読み出し、当該外部記憶装置８０が予め登録されたものであるか否かを判別する（ステップＳ２）。
【００４３】
当該外部記憶装置８０が予め登録された所定の外部記憶装置８０であると判別されると、すなわち外部記憶装置８０の認証に成功すると（ステップＳ２：Ｙ）、制御部４５は按分率算出ボタンの押下操作が有効になるように制御する（ステップＳ３）。一方、外部記憶装置８０が接続されていない場合（ステップＳ１：Ｎ）または外部記憶装置８０の認証に失敗した場合（ステップＳ２：Ｎ）、制御部４５は、この按分率算出ボタンの押下操作が無効になるように制御する（ステップＳ４）。
【００４４】
次に、按分率算出ボタンの押下操作があるまで待機し、按分率算出ボタンが押下された場合（ステップＳ５：Ｙ）には、当該按分率算出ボタンが押下された日が予め設定された所定の期間の末日であるか否かを判別する（ステップＳ６）。
【００４５】
按分率算出ボタンが押下された日、すなわち指示信号の入力された日が予め設定された期間の末日である場合（ステップＳ６：Ｙ）、制御部４５は上述した締め処理を実行する。
締め処理の実行に際して、制御部４５は、運転状態情報取得部４５ａにより、当該期間の開始日から、当該期間の末日までの間の当該空気調和システム１００の全体のエネルギー使用量に対する各室内機１２〜１４、２２〜２４、３２〜３４毎のエネルギー使用量の按分率を求める（ステップＳ７）。
【００４６】
ステップＳ７において、制御部４５は、エネルギー使用量情報記憶領域４３ｂに記憶された当該期間内における各空気調和装置１０、２０、３０において消費された全エネルギー使用量を算出する。この際、電力パルスあるいはガスパルスに対応する単位電力量あるいは単位ガス量を乗じて、全体の電力使用量またはガス使用量が算出される。
また、ステップＳ７において、制御部４５は、エネルギー使用量按分部４５ｃにより、室内機１２〜１４、２２〜２４、３２〜３４の定格能力、各室外機１１、２１、３１の運転電力量、各室内機１２〜１４、２２〜２４、３２〜３４の運転能力量および送風時の室内ファン電力等に基づいて各室内機１２〜１４、２２〜２４、３２〜３４毎の室内機消費電流を算出させる。さらに、エネルギー使用量按分部４５ｃにより、求められた室内機消費電流、室内定格能力、風速別運転時間、室内ファン電力に基づいて室内機消費電流積算値を求める。続いて、エネルギー使用量按分部４５ｃは、求められた室内機消費電流積算値の和に対する各室内機１２〜１４、２２〜２４、３２〜３４の室内機消費電流積算値の割合である按分率として算出する。
【００４７】
そして、ステップＳ７において各室内機１２〜１４、２２〜２４、３２〜３４毎のエネルギー使用量の按分率が求められると、次に、制御部４５は、空気調和システム１００の全体の消費電力量または消費ガス量などの消費エネルギー量に按分率を乗じて、各室内機１２〜１４、２２〜２４、３２〜３４毎の使用エネルギー量を算出し、各テナント毎等の予め設定される所定の按分グループに属する室内機（１２〜１４、２２〜２４、３２〜３４）の使用エネルギー量を積算して、各按分グループ毎に空調料金を算出する（ステップＳ８）。この様に算出された各室内機１２〜１４、２２〜２４、３２〜３４毎のエネルギー使用量の按分率や、各テナント毎の空調料金等に関する情報は按分率情報記憶領域４３ｃに記憶される（ステップＳ９）。
【００４８】
次に、制御部４５は、運転状態情報記憶領域４３ａおよびエネルギー使用量情報記憶領域４３ｂにそれぞれ記憶された当該期間内における室外機１１、２１、３１および室内機１２〜１４、２２〜２４、３２〜３４の各運転状態に関する情報および各空気調和装置１０、２０、３０のエネルギー使用量に関する情報を消去し（ステップＳ１０）、外部記憶装置８０にＩ／Ｆ部４４を介してこれらの各室内機１２〜１４、２２〜２４、３２〜３４毎のエネルギー使用量の按分率に関する情報および各テナント毎の空調料金等に関する情報がＣＳＶ形式等の所定のファイル形式で出力される。以上により締め処理が終了する。
【００４９】
一方、ステップＳ６において、按分率算出ボタンが押下されたのが期間末日ではないと判別された場合（ステップＳ６：Ｎ）、上述した中間締め処理が以下のように実行される。
【００５０】
中間締め処理の実行に際して、制御部４５は、運転状態情報取得部４５ａにより、当該期間の開始日から、当該按分率算出ボタンの押下された日（時点）までの間の当該空気調和システム１００の全体のエネルギー使用量に対する各室内機１２〜１４、２２〜２４、３２〜３４毎のエネルギー使用量の按分率を上述したステップＳ７と同様の方法により求める（ステップＳ１２）。
【００５１】
そして、ステップＳ８と同様に、ステップＳ１３では、制御部４５は、各室内機１２〜１４、２２〜２４、３２〜３４毎のエネルギー使用量の按分率が求められると、次に、空気調和システム１００の全体の消費電力量または消費ガス量などの消費エネルギー量に各室内機１２〜１４、２２〜２４、３２〜３４のエネルギー使用量の按分率を乗じて、各室内機１２〜１４、２２〜２４、３２〜３４毎の使用エネルギー量が算出される。この際、ステップＳ１０とは異なり、ステップＳ１３では、記憶部４３の運転状態情報記憶領域４３ａに記憶された室外機１１、２１、３１および各室内機１２〜１４、２２〜２４、３２〜３４の各運転状態に関する情報や、エネルギー使用量記憶領域４３ｂに記憶された当該空気調和システム１００のエネルギー使用量に関する情報は更新可能に保持される。
【００５２】
次いで、按分率情報記憶領域４３ｃに記憶された過去の按分率に関する情報や空調料金に関する情報に基づいて、ステップＳ１２で算出された各室内機１２〜１４、２２〜２４、３２〜３４毎の按分率やステップＳ１３で算出された各テナント毎の空調料金等と比較するための比較情報が生成される（ステップＳ１４）。
【００５３】
ここで、ステップＳ１４において生成される比較情報としては、直前の期間の按分率に関する情報（例えば、前月分）に基づいて、所定の期間の開始日から指示信号が入力された日までの間の日数分と同日数分の按分率を求めたものとすることができる。また、例えば、過去の同時期（例えば、前年分あるいは複数年分の平均値等）における過去の按分率に関する情報に基づいて、所定の期間の開始日から指示信号が外部から入力された日までの同日数分の按分率を求めたもの等とすることができる。
【００５４】
そして、これらの按分率に関する情報や按分グループ毎の空調料金に関する情報や比較情報等がＣＳＶ形式等の所定のファイル形式でＩ／Ｆ部４４を介して外部記憶装置８０に出力される（ステップＳ１０）。以上により中間締め処理が終了される。
【００５５】
以上説明した本実施の形態によれば、集中管理装置４０は、運転状態情報取得部４５ａにより、第一通信アダプタ５０および第二通信アダプタ６０を介して、当該空気調和システム１００が有する室外機１１、２１、３１および室内機１２〜１４、２２〜２４、３２〜３４の各運転状態に関する情報を取得することができる。また、集中管理装置４０は、エネルギー使用量情報取得部４５ｂにより、第一通信アダプタ５０および第二通信アダプタ６０を介して、当該空気調和システム１００におけるエネルギー使用量に関する情報を取得することができる。また、集中管理装置４０は、エネルギー使用量按分部４５ｃにより、記憶部４３に記憶された運転状態に関する情報およびエネルギー使用量に関する情報を用いて、予め設定された所定の期間の開始日から、按分率算出ボタンの押下操作により入力される指示信号の入力日までの全体のエネルギー使用量に対する各室内機１２〜１４、２２〜２４、３２〜３４毎のエネルギー使用量の按分率を求めることができる。そして、集中管理装置４０は、制御部４５により、当該指示信号が入力された日が所定の期間の期間末日か否かを判別させ、期間末日以外の日である場合には、記憶部４３に記憶された各運転状態に関する情報およびエネルギー使用量に関する情報を更新可能に保持した上で、按分率に関する情報、按分グループ毎の空調料金に関する情報、比較情報等をＩ／Ｆ部４４を介して外部記憶装置８０に出力させることができる。よって、予め設定された期間の途中であっても室内機１２〜１４、２２〜２４、３２〜３４毎のエネルギー使用量の按分率を求めることができ、また、期間の途中で按分率を求める場合には、記憶部４３に記憶された各運転状態に関する情報およびエネルギー使用量に関する情報は更新可能に保持されているので、期間の途中に複数回に渡って按分率を求める場合でも、常に期間の開始日からの間のエネルギー使用量の按分率を求めることができる。
【００５６】
また、上記実施の形態によれば、期間末日に按分率を求める場合には、ステップＳ９に示すように、按分率に関する情報を記憶部４３の按分率情報記憶領域４３ｃに記憶させるので、当該按分率に関する情報を後に参照して、例えば、ステップＳ１４において比較情報を生成する際に用いることができる。
【００５７】
また、上記実施の形態では、中間締め処理（ステップＳ１２〜ステップＳ１４，およびステップＳ１１）を実行する際に、比較情報を生成しているので、比較情報と比較することにより、現時点における空調のエネルギー使用量の増減を把握することができ、省エネ意識を高めることなどができる。
【００５８】
また、上記実施の形態によれば、予め設定された所定の期間の期間末日に按分率を求めた場合には、締め処理（ステップＳ７〜ステップＳ１１）を実行し、記憶部４３の運転状態情報記憶領域４３ａ、エネルギー使用量情報記憶領域４３ｂ）に記憶された所定の期間内の各運転状態に関する情報やエネルギー使用量に関する情報を消去する構成としているので、記憶部４３の記憶容量を確保することができる。
【００５９】
また、上記実施の形態によれば、按分率に関する情報等を外部記憶装置８０に出力する際には、ＣＳＶ形式等の所定のファイル形式で出力する構成としているので、外部記憶装置８０に記憶されたこれらのファイルをパーソナルコンピュータなどで読み出して、データを加工することができ、例えば、空調料金の請求書の発行等を行うことができる。
【００６０】
但し、上記実施の形態は本発明の一態様であり、本発明の趣旨を逸脱しない範囲において適宜変更可能であるのは勿論である。
例えば、上記実施の形態では、中間締め処理を実行する際に、制御部４５は比較情報を生成する構成としているが、中間締め処理実行時に必ずしも比較情報を生成しなければならない訳ではない。また、締め処理を実行する際に、比較情報を生成してもよいのは勿論である。
【００６１】
また、ステップＳ７あるいはステップＳ１２において説明した、各室内機１２〜１４、２２〜２４、３２〜３４毎のエネルギー使用量の按分率の算出の方法は一例であって、他の方法により按分率を求めることとしてもよいのは勿論である。また、記憶部４３の記憶容量が十分に大きければ、締め処理を実行する際に、ステップＳ１０の様に、所定の期間内の室外機１１、２１、３１や室内機１２〜１４、２２〜２４、３２〜３４の各運転状態に関する情報を消去せずに、所定のフォルダを作成してそのフォルダ内に格納する構成としてもよい。
【００６２】
また、上記実施の形態では、複数の室外機１１、２１、３１および複数の室内機１２〜１４、２２〜２４、３２〜３４を有する空気調和システム１００を例に挙げて説明し、当該空気調和システム１００のエネルギー使用量に対する各室内機１２〜１４、２２〜２４、３２〜３４毎のエネルギー使用量の按分率を求める構成を例に挙げて説明したが、例えば、冷凍用のショーケースを複数設置する場合であって、１つの動力を複数に按分して使用するときにも適用することができる。また、冷凍用の動力に限られず、ショーケースの照明用の電力を複数に按分して使用する場合にも適用することができる。
【００６３】
更に、上述した第一空気調和装置１０、第二空気調和装置２０、第三空気調和装置３０のいずれについても、これらの空気調和装置１０、２０、３０を構成する室外機（１１、２１、３１）および室内機（１２〜１４、２２〜２４、３２〜３４）の台数は、設置場所や使用態様に合わせて自由に変更することができる。また、空気調和装置（１０、２０、３０）の数も三台に限られず、自由にその数を増加、または減少させることができる。
【図面の簡単な説明】
【００６４】
【図１】本発明の実施の形態に係る空気調和システムの系統図である。
【図２】本発明の実施の形態に係る空気調和システムの集中管理装置の機能的構成例を示すブロック図である。
【図３】本発明の実施の形態に係る処理フローチャートである。
【符号の説明】
【００６５】
１０、２０、３０  空気調和装置
１１、２１、３１  室外機
１２、１３、１４、２２、２３、２４、３２、３３、３４  室内機
４０  集中管理装置
４１  表示操作部
４２  通信部
４３  記憶部
４４  Ｉ／Ｆ部（按分率情報出力部）
４５  制御部
４５ａ  運転状態情報取得部
４５ｂ  エネルギー使用量情報取得部
４５ｃ  エネルギー使用量按分部
５０  第一通信アダプタ
６０  第二通信アダプタ
８０  外部記憶装置（外部）
１００  空気調和システム
【図１】
2008145055.tif 000003
【図２】
2008145055.tif 000004
【図３】
2008145055.tif 000005